(57)【要約】【課題】  良好な音質及び音圧でディスクケースから音が出力されるようにする。【解決手段】  ディスクケース１０の蓋１３を開けてスイッチ３４をＯＮとすると、電池３２から音声回路３６に電力が供給され、音声回路３６でメモリから音声データが読み出されて音声信号が合成され、増幅されて圧電スピーカ３８から音声が出力される。圧電スピーカ３８の前側の気室３８Ｇがスリット２０Ｄを介して外部に通じているため、圧電スピーカ３８から出力された音は、スリット２０Ｄから外部に放出される。圧電スピーカ３８の後側の気室３８Ｈは、シール材４０によって密閉されているため、圧電スピーカ３８の後側からの音によって前側から出力された音が弱められ音圧が低下する恐れがない。また、圧電スピーカ３８の振動がシール材３８Ｄや振動抑制パッド３８Ｅによって吸収され、ケース本体１２やディスクトレイ１４への振動伝達が抑制される。【選択図】図３
2006101261.tif 000002
【特許請求の範囲】
【請求項１】
記録媒体に嵌め込まれるクランパを有するトレイを、蓋を有するケース本体内に嵌め込んだ記録媒体収納ケースにおいて、
前記ケース本体と前記トレイとの間に形成された空間内であって、前記クランパの後側に設けられた発音体，
該発音体と前記クランパとの間に設けられており、前記発音体の前気室を形成する第１の仕切り手段，
前記空間内に設けられており、前記発音体の後気室を形成する第２の仕切り手段，
を備えたことを特徴とする記録媒体収納ケース。
【請求項２】
前記前気室から前記クランプを経て外部に至る空気抵抗を調整するためのシール手段を、前記クランプに設けたことを特徴とする請求項１記載の記録媒体収納ケース。
【請求項３】
前記ケース本体及び前記トレイに対する前記発音体の振動の伝達を抑制する振動抑制手段を設けたことを特徴とする請求項１又は２記載の記録媒体収納ケース。
【請求項４】
前記振動抑制手段が、前記第１及び第２の仕切り手段を兼用したことを特徴とする請求項３記載の記録媒体収納ケース。
【請求項５】
前記ケース本体と前記トレイとの間に形成された空間内であって、前記ケース本体と前記トレイとの間に、吸音手段を設けたことを特徴とする請求項１〜４のいずれかに記載の記録媒体収納ケース。
【発明の詳細な説明】
【技術分野】
【０００１】
本発明は、ＣＤ（Compact Disc）やＤＶＤ（Digital Versatile DiscないしDigital Video Disc）などを収納する記録媒体収納ケースに関し、より具体的には、該ケースに対する発音体の実装技術に関するものである。
【背景技術】
【０００２】
ＣＤなどのディスクケースにスピーカを取り付けたものとしては、下記特許文献に記載された「記録媒体収納ケース」がある。これは、ディスクに収納された音楽の歌手や映画の出演者などのメッセージを生の声で聞けるようにするために、ＩＣメモリから音声メッセージを読出して音声メッセージ再生部で再生し、この再生された音声メッセージをスピーカから出力するようにしたものである。スピーカはトレイに取り付けられており、トレイが共鳴板として機能する。
【特許文献１】特開平２００１−８８８８５号公報
【発明の開示】
【発明が解決しようとする課題】
【０００３】
ところで、最近は、ケースも薄型化の傾向にあり、ダイナミックスピーカのような厚みのあるものを実装するほどの空間的余裕がないのが実情である。また、トレイは、本来スピーカの共鳴板として作製されているわけではないので、上記背景技術のような使い方をしても良好な音質は望めない。更に、振動時にトレイがケース本体などと接触すると、音質悪化を招く可能性もある。
【０００４】
本発明は、以上の点に着目したもので、良好な音質及び音圧で記録媒体の収納ケースから音が出力されるようにすることをその目的とするものである。
【課題を解決するための手段】
【０００５】
前記目的を達成するため、本発明は、記録媒体に嵌め込まれるクランパを有するトレイを、蓋を有するケース本体内に嵌め込んだ記録媒体収納ケースにおいて、前記ケース本体と前記トレイとの間に形成された空間内であって、前記クランパの後側に設けられた発音体，
該発音体と前記クランパとの間に設けられており、前記発音体の前気室を形成する第１の仕切り手段，前記空間内に設けられており、前記発音体の後気室を形成する第２の仕切り手段，を備えたことを特徴とする。
【０００６】
主要な形態の一つは、前記前気室から前記クランプを経て外部に至る空気抵抗を調整するためのシール手段を、前記クランプに設けたことを特徴とする。他の形態は、前記ケース本体及び前記トレイに対する前記発音体の振動の伝達を抑制する振動抑制手段を設けたことを特徴とする。更に他の形態は、前記振動抑制手段が、前記第１及び第２の仕切り手段を兼用したことを特徴とする。更に他の形態は、  前記ケース本体と前記トレイとの間に形成された空間内であって、前記ケース本体と前記トレイとの間に、吸音手段を設けたことを特徴とする。本発明の前記及び他の目的，特徴，利点は、以下の詳細な説明及び添付図面から明瞭になろう。
【発明の効果】
【０００７】
本発明によれば、記録媒体収納トレイのクランパ側に発音体を設けるとともに、発音体前後に気室を形成することにより、音質及び音圧が向上するという効果が得られる。
【発明を実施するための最良の形態】
【０００８】
以下、本発明を実施するための最良の形態を、実施例に基づいて詳細に説明する。
【実施例１】
【０００９】
最初に、図１〜図３を参照しながら本発明の実施例１を説明する。本実施例は、ＤＶＤを収納するケースに本発明を提供したものである。図２(A)に示すように、ＤＶＤを収納するディスクケース１０は、適宜の２つ折のケース本体１２にディスクトレイ１４を貼り合わせた構造となっており、ケース本体１２の蓋１３はディスクトレイ１４に対して開閉自在となっている。ディスクトレイ１４には、ディスク（図示せず）を収納する凹部１６が設けられており、該収納凹部１６の周囲には、ディスクを取り出すときに指をディスク周囲に掛けるための指用凹部１８が４箇所設けられている。更に、ディスクトレイ１４の収納凹部１６の中央には、ＤＶＤのセンターホールに嵌まり込むクランパ２０が設けられている。
【００１０】
図１には、上述したディスクケース１０に音声出力装置３０を取り付けた状態が示されている。音声出力装置３０は、電池３２，スイッチ３４，音声回路３６，スピーカ３８によって構成されている。これらのうち、電源である電池３２は、ケース本体１２とディスクトレイ１４との間に形成される隙間の適宜位置に収納されており、本例では３つのボタン電池を含んでいる。そして、スライド型のスイッチ３４を操作することによって、電池３２から音声回路３６に電力が供給される構成となっている。
【００１１】
音声回路３６は、音声データを記録するためのメモリ，音声データから音声信号を合成するための合成回路，音声信号を増幅して出力するためのアンプを含んだ集積回路によって構成されており、前記スイッチ３４がＯＮとなって電池３２から電力が供給されたときに動作する。音声回路３６には、ディスクケース１０に収納されるＤＶＤの内容を試聴するための音声データ，ＢＧＭ，効果音などが適宜記録される。
【００１２】
スピーカ３８は、前記音声回路３６から出力された音声信号を再生するためのもので、前記ディスクトレイ１４のクランパ２０内に設けられている。図１の＃Ａ−＃Ａ線に沿って矢印方向に見た端面を図３に示す。同図のように、クランパ２０は、中央の凸部２０Ａと、その周辺の台座部２０Ｂによって構成されている。また、凸部２０Ａには、開口２０Ｃやスリット２０Ｄが設けられている。そして、前記台座部２０Ｂ内には、圧電スピーカ３８が設けられている。圧電スピーカ３８は、図２(B)に示すように、径方向断面が略Ｌ字状であって全体がリング状のフレーム３８Ａに振動板３８Ｂの周囲が固定されており、この振動板３８Ｂの表裏に圧電素子３８Ｃがそれぞれ貼り付けられた構成となっている。圧電素子３８Ｃは、圧電シートを電極で挟んだ積層構造となっている。振動板３８Ｂが一方の電極を兼ねることもある。電極に駆動電圧を印加すると、圧電シートが面方向に伸縮する。すなわち、振動板３８Ｂは、一方の面が伸び、他方の面が縮むようになり、図２(B)に矢印で示す方向に振動するようになる。
【００１３】
このような圧電スピーカ３８のフレーム３８Ａの上側は、図３に示すように、リング状のシール材３８Ｄを介して、クランパ２０の台座部２０Ｂ内側に、接着剤や両面粘着テープなどによって取り付けられている。また、フレーム３８Ａの下側とケース本体１２との間には、振動抑制パッド３８Ｅが設けられている。振動抑制パッド３８Ｅは、例えば、フレーム３８Ａの全周のうちの３箇所に設けられている。更に、圧電スピーカ３８の外側であって、ケース本体１２とディスクトレイ１４との間には、リング状のシール材４０が設けられており、接着剤や両面粘着テープによって固定されている。加えて、上述したクランパ２０の中央凸部２０Ａ上には、開口２０Ｃを塞ぐように、調整フィルム４２が両面粘着テープなどによって貼り付けられている。
【００１４】
前記シール材３８Ｄとしては、圧電スピーカ３８の前後に気室３８Ｇ，３８Ｈをそれぞれ形成する関係から、機密性に優れており、かつ、圧電スピーカ３８の振動をディスクトレイ１４に伝達しにくい材料，例えば、イノアック・コーポレーション社製の発泡ウレタンシート（品名；ＳＲＦ−４０）の一方の主面側に、例えば、ソニーケミカル社製の両面粘着テープ（品名；ＮＰ２０３）を貼り付けたものたものなどが好適である。振動抑制パッド３８Ｅは、機密性は必要とされないが、圧電スピーカ３８の振動をケース本体１２に伝達しにくい材料，例えば、上記シール材３８Ｄと同様に発泡ウレタンシートの一方の主面側に両面粘着テープを貼り付けたものが好適である。シール材４０としては、圧電スピーカ３８の後側に気室３８Ｈを形成する関係から、機密性に優れていることが要求され、例えば、上記シール材３８Ｄと同様に発泡ウレタンシートの一方の主面側に両面粘着テープを貼り付けたものが好適である。更に、調整フィルム４２としては、圧電スピーカ３８から出力された音が、クランパ２０の開口２０Ｃやスリット２０Ｄから外部に出るときの抵抗を調整するためのもので、例えば、ＰＥＴ（ポリエチレンテレフタレート）フィルム等の可撓性フィルムの一方の主面側に両面粘着テープを貼り付けたものが好適である。
【００１５】
以上のうち、シール材３８Ｄ及び調整フィルム４２によって圧電スピーカ３８の前側に気室３８Ｇが形成され、シール材３８Ｄ，４０によって圧電スピーカ３８の後側に気室３８Ｈが形成される。前側の気室３８Ｇは、クランパ２０のスリット２０Ｄによって外部と通じているが、後側の気室３８Ｈは、外部から遮断された密室となっている。なお、音声回路３６から圧電スピーカ３８に音声信号を供給するリード線３６Ｂは、シール材４０を貫通して圧電スピーカ３８の端子３８Ｐに接続されている。
【００１６】
次に、本実施例の動作を説明すると、ディスクケース１０のディスクトレイ１４には、ＤＶＤが収納凹部１６に収納される。そして、蓋１３が閉じている状態では、スイッチ３４がＯＦＦとなっており、電池３２から音声回路３６に電力が供給されない。従って、圧電スピーカ３８から音声が出力されることはない。蓋１３を開けてスイッチ３４をＯＮとすると、電池３２から音声回路３６に電力が供給される。すると、音声回路３６では、メモリに記録されている音声データが読み出されて音声信号が合成され、これが増幅されて圧電スピーカ３８に供給される。これにより、圧電スピーカ３８から音声が出力されるようになる。
【００１７】
この場合において、本実施例では、図３に示すように、圧電スピーカ３８の前側の気室３８Ｇがスリット２０Ｄを介して外部に通じている。このため、圧電スピーカ３８から出力された音は、スリット２０Ｄから外部に放出されるようになる。一方、圧電スピーカ３８の後側の気室３８Ｈは、シール材４０によって密閉されている。従って、圧電スピーカ３８の後側からの音によって前側から出力された音が弱められ音圧が低下する恐れがない。加えて、圧電スピーカ３８の振動がシール材３８Ｄや振動抑制パッド３８Ｅによって吸収され、ケース本体１２やディスクトレイ１４に振動が伝わるのも抑制される。従って、雑音の発生に伴う不要な音質悪化も良好に低減されるようになる。
【００１８】
図４には、圧電スピーカ３８自身の音圧周波数特性と、ケース実装時の音圧周波数特性が示されている。同図中、横軸は周波数（対数），縦軸は音圧を表す。同図に示すように、低域の周波数領域ＲＡで両者を比較すると、本実施例は９００Hzで９０dBの音圧が確保されていることが分かる。また、中域ないし高域の周波数領域ＲＢで両者を比較すると、本実施例のほうが圧電スピーカ単体よりも音圧特性が平坦化されていることが分かる。
【００１９】
以上のように、本実施例によれば、次のような効果がある。
(1)圧電スピーカを使用しているので、ケースの薄型化にも十分対応できる。
(2)後側の気室の機密性を高めているので、良好な音圧が得られる。
(3)前側の気室と外部との空気抵抗を調整しているので、音圧特性が平坦化される。
(4)圧電スピーカの振動に基づくケース本体やトレイの振動が抑制されるので、良好な音質が得られる。
【実施例２】
【００２０】
次に、本発明の実施例２について説明する。図２(A)に点線で示すように、ケース本体１２とディスクトレイ１４との間に、商品内容を説明したり、デザイン性を高めるためにインデックスカード１００を挿入することがある。このような場合は、図５(A)に主要断面を示すように、振動抑制パッド３８Ｅやシール材４０とケース本体１２との間にインデックスカード１００が挿入された構造となる。また、インデックスカード１００の存在によって圧電スピーカ３８の取り付けスペースを十分に確保できないときは、図２(A)や図５(B)に示すように、インデックスカード１００に開口ないし凹部１０２を形成して、必要な設置空間を確保する。
【実施例３】
【００２１】
次に、本発明の実施例３について説明する。本例は、図５(C)に示すように、前記実施例２のインデックスカード１００に重ねて、吸音材１１０を設けた例である。このように、吸音材１１０を設けることで、圧電スピーカ３８の後側から出た音が吸収され、音圧レベルの低下がより効果的に抑制されるようになる。
【実施例４】
【００２２】
次に、本発明の実施例４について説明する。本例は、図５(D)に示すように、ケース本体１２であって、圧電スピーカ３８の後側適宜位置に、放音孔１２０を形成した例である。いわゆるバスレフタイプ（位相反転形）と考えることができ、所定の周波数の音を強調することができる。
【００２３】
なお、本発明は、上述した実施例に限定されるものではなく、本発明の要旨を逸脱しない範囲内において種々変更を加え得ることができる。例えば、以下のものも含まれる。
(1)圧電スピーカとしては、上記実施例に示したバイモルフ型のみならず、振動板の一方にのみ圧電素子を設けたユニモルフ型であってもよい。また、圧電素子は、圧電シートを電極を挟んで複数積層した積層型の圧電素子でもよい。
(2)前記実施例では、スピーカをディスクトレイのクランパに設けたが、ディスクケースの他の部位に他のスピーカを設けることを妨げるものではない。
(3)前記実施例では、ＤＶＤ用のケースに対して本発明を提供したが、ＣＤなど、クランパを必要とする他の記録媒体に対しても同様に適用可能である。
【産業上の利用可能性】
【００２４】
本発明によれば、良好な音質・音圧による音声再生を行うことができ、付加価値のあるディスクケースを提供することができる。
【図面の簡単な説明】
【００２５】
【図１】本発明の実施例１の全体構成を示す斜視図である。
【図２】本発明の実施例１を示す図である。(A)はディスクケースを示す分解斜視図，(B)は圧電スピーカの構成を示す斜視図である。
【図３】図１の＃Ａ−＃Ａ線に沿って矢印方向に見た端面図である。
【図４】前記実施例１における音圧特性を、スピーカ自身の特性と比較して示すグラフである。
【図５】本発明の他の実施例の主要部を示す端面図である。
【符号の説明】
【００２６】
１０：ディスクケース
１２：ケース本体
１３：蓋
１４：ディスクトレイ
１６：収納凹部
１８：指用凹部
２０：クランパ
２０Ａ：凸部
２０Ｂ：台座部
２０Ｃ：開口
２０Ｄ：スリット
３０：音声出力装置
３２：電池
３４：スイッチ
３６：音声回路
３６Ｂ：リード線
３８：圧電スピーカ
３８Ａ：フレーム
３８Ｂ：振動板
３８Ｃ：圧電素子
３８Ｄ：シール材
３８Ｅ：振動抑制パッド
３８Ｇ，３８Ｈ：気室
３８Ｐ：端子
４０：シール材
４２：調整フィルム
１００：インデックスカード
１０２：凹部
１１０：吸音材
１２０：放音孔
【図１】
2006101261.tif 000003
【図２】
2006101261.tif 000004
【図３】
2006101261.tif 000005
【図４】
2006101261.tif 000006
【図５】
2006101261.tif 000007